(57)【特許請求の範囲】
【請求項１】
第１の画像形成装置で使用される第１の言語で記述された第１の画像情報を、第２の画像形成装置で使用され、かつ前記第１の言語と異なる第２の言語で記述された第２の画像情報に変換する変換手段と、
データ量が前記第２の画像形成装置による画像処理の制限範囲内となるように前記第１の画像情報を複数の分割画像ファイルに分割する分割手段と、
前記分割画像ファイルの各々に、複数ページの画像を形成する一纏まりの画像形成単位の区切りを示す画像形成単位マークを付加するか否かを示す第１付加情報を付加する付加手段と、
を備えた画像情報変換装置。
【請求項２】
前記付加手段は、前記画像形成単位の先頭の画像に対応する前記分割画像ファイルに、前記画像形成単位マークを付加することを示す第１付加情報を付加する
請求項１記載の画像情報変換装置。
【請求項３】
前記付加手段は、前記分割画像ファイルの各々に、前記分割画像ファイルにより示される画像に付加する識別マークを示す第２付加情報を付加する
請求項１又は２記載の画像情報変換装置。
【請求項４】
前記付加手段は、前記第１の画像情報における前記画像形成単位より細かい予め定めた単位毎に前記第１付加情報を付加する
請求項３記載の画像情報変換装置。
【請求項５】
前記付加手段は、面付けの際に用いられる面付け設定情報を識別するための面付け設定名に、前記第１付加情報を付加する
請求項１〜４の何れか１項記載の画像情報変換装置。
【請求項６】
前記付加手段は、面付けの際に用いられる面付け設定情報を識別するための面付け設定名に、前記第２付加情報を付加する
請求項３又は４記載の画像情報変換装置。
【請求項７】
前記付加手段は、前記分割画像ファイルのファイル名に、前記第１付加情報を付加する
請求項１〜４の何れか１項記載の画像情報変換装置。
【請求項８】
前記付加手段は、前記分割画像ファイルのファイル名に、前記第２付加情報を付加する
請求項３又は４記載の画像情報変換装置。
【請求項９】
請求項１〜８の何れか１項記載の画像情報変換装置と接続された画像形成装置であって、
第１の画像形成装置で使用される第１の言語とは異なる第２の言語で記述された画像情報であって、前記画像情報変換装置で処理された画像情報によって示される画像を形成する形成手段を備えた画像形成装置。
【請求項１０】
第１の画像形成装置で使用される第１の言語で記述された第１の画像情報を、第２の画像形成装置で使用され、かつ前記第１の言語と異なる第２の言語で記述された第２の画像情報に変換する変換手段、データ量が前記第２の画像形成装置による画像処理の制限範囲内となるように前記第１の画像情報を複数の分割画像ファイルに分割する分割手段、前記分割画像ファイルの各々に、複数ページの画像を形成する一纏まりの画像形成単位の区切りを示す画像形成単位マークを付加するか否かを示す第１付加情報を付加する付加手段、及び、前記第１付加情報が付加された前記分割画像ファイルを画像形成装置に出力する出力手段を備えた画像情報変換装置の前記出力手段により出力された前記分割画像ファイルを取得する取得手段と、
前記取得手段により取得された前記分割画像ファイルに付加された前記第１付加情報に基づき、前記画像形成単位マークを付加することを示す前記第１付加情報が付加された前記分割画像ファイルに基づく画像には前記画像形成単位マークが形成され、前記画像形成単位マークを付加しないことを示す前記第１付加情報が付加された前記分割画像ファイルに基づく画像には前記画像形成単位マークが形成されないように、各々の前記分割画像ファイルに基づく画像を形成する形成手段と、
を備えた画像形成装置。
【請求項１１】
第１の画像形成装置で使用される第１の言語で記述された第１の画像情報を、第２の画像形成装置で使用され、かつ前記第１の言語と異なる第２の言語で記述された第２の画像情報に変換する変換手段、データ量が前記第２の画像形成装置による画像処理の制限範囲内となるように第１の画像情報を複数の分割画像ファイルに分割する分割手段、前記分割画像ファイルのファイル名の各々に、複数ページの画像を形成する一纏まりの画像形成単位の区切りを示す画像形成単位マークを付加するか否かを示す第１付加情報を付加する付加手段、及び、前記第１付加情報が付加された前記分割画像ファイルを画像形成装置に出力する出力手段を備えた画像情報変換装置から、前記分割画像ファイルを取得する取得手段と、
前記取得手段により取得された前記分割画像ファイルのファイル名に付加された前記第１付加情報に基づき、前記画像形成単位マークを付加することを示す前記第１付加情報がファイル名に付加された前記分割画像ファイルに基づく画像には前記画像形成単位マークが形成され、前記画像形成単位マークを付加しないことを示す前記第１付加情報がファイル名に付加された前記分割画像ファイルに基づく画像には前記画像形成単位マークが形成されないように、各々の前記分割画像ファイルに基づく画像を形成する形成手段と、
を備えた画像形成装置。
【請求項１２】
請求項１〜８の何れか１項の画像情報変換装置と、
第１の画像形成装置で使用される第１の言語とは異なる第２の言語で記述された画像情報であって、前記画像情報変換装置で処理された画像情報によって示される画像を形成する画像形成装置と、
有する画像情報変換システム。
【請求項１３】
コンピュータを、請求項１〜８記載の画像情報変換装置を構成する各手段として機能させるための画像情報変換プログラム。
【発明の詳細な説明】
【技術分野】
【０００１】
本発明は、画像情報変換装置、画像形成装置、画像情報変換システム、及び画像情報変換プログラムに関する。
【背景技術】
【０００２】
特許文献１には、加工プログラムのブロックにより指令された指令動作を実行したときに、インポジションチェックするモードとするかインポジションチェックしないモードとするかを選択可能に構成された数値制御装置において、インポジションチェックしないモードが選択されているときであっても、前記ブロックにより指令された指令動作が、精度が要求される動作であるときには、その指令動作を実行したときにインポジションチェックを行う第１の制御手段を備えたことを特徴とする数値制御装置が開示されている。
【先行技術文献】
【特許文献】
【０００３】
【特許文献１】特開平１１−５８１７７号公報
【発明の概要】
【発明が解決しようとする課題】
【０００４】
従来、大量の画像の各々を用紙に高速で形成したい場合、連続紙専用の画像形成装置を利用し、複数の画像をミシン目を有する連続紙に形成した後に、連続紙を切断する処理が行われている。また、連続紙専用の画像形成装置では、当該装置専用の言語で記述された画像情報を当該装置で直接解釈して処理している。
【０００５】
また、このような連続紙専用の画像形成装置では、連続紙のミシン目上に、複数ページの画像を形成する一纏まりの画像形成処理毎に、区切りを表す画像形成単位マーク（以下「単位マーク」ともいう。）を形成する。これにより、Ｚ折りされて積み重ねられた連続紙において画像形成単位の切れ目が視認可能となる。
【０００６】
一方、業務・機器の効率化等から、デバイスの集約化が求められている。また、連続紙専用の画像形成装置からオープン環境の画像形成装置への移行が求められている。しかし、連続紙専用の画像形成装置で用いられる画像情報をオープン環境の画像形成装置で用いる場合には、連続紙専用の画像形成装置で用いられる画像情報を使用できるように画像形成装置を改良する必要がある。また、連続紙専用の画像形成装置で用いられる言語で記述された画像情報を、オープン環境で用いられる言語で記述された画像情報として生成し直す必要がある。すなわち、連続紙専用の画像形成装置で用いられるＰＤＬ（Page Description Language）で記述された画像情報を、オープン環境の画像形成装置で用いられるオープン環境の言語で記述された画像情報に変換するＰＤＬコンバーターが必要となる。
【０００７】
ここで、連続紙専用の画像形成装置で用いられる画像情報はデータ量が比較的少ないのに対し、オープン環境で用いられるＰＤＬ（例えば、Postscript)で記述された画像情報は、高機能な反面、言語手続き等が複雑でデータ量が多くなってしまう。そのため、オープン環境の画像形成装置では、用紙の種類、画像情報のサイズ、画像形成範囲等の仕様制限により、特定サイズ以上の画像情報を処理することが困難であった。
【０００８】
そこで、連続紙専用の画像形成装置で用いられる画像情報をオープン環境の画像形成装置で用いられる画像情報に変換する際、各々の分割画像ファイルが上記仕様制限内のサイズとなるように画像情報を複数の分割画像ファイルに分割する等の対応がなされてきた。
【０００９】
しかしながら、分割画像ファイルに基づいて画像を用紙に形成する場合に、分割画像ファイルから上記単位マークの形成位置を認識することは困難であった。
【００１０】
本発明は、連続紙専用の画像形成装置で用いられる画像情報をオープン環境で用いられる画像情報に変換する際に、画像形成単位マークの形成位置を考慮せずに変換する場合と比較して、画像形成単位マークが誤った位置に形成されることを回避することができる画像情報変換装置、画像形成装置、画像情報変換システム、及び画像情報変換プログラムを提供することを目的とする。
【課題を解決するための手段】
【００１１】
請求項１に係る画像情報変換装置は、第１の画像形成装置で使用される第１の言語で記述された第１の画像情報を、第２の画像形成装置で使用され、かつ前記第１の言語と異なる第２の言語で記述された第２の画像情報に変換する変換手段と、データ量が前記第２の画像形成装置による画像処理の制限範囲内となるように前記第１の画像情報を複数の分割画像ファイルに分割する分割手段と、前記分割画像ファイルの各々に、複数ページの画像を形成する一纏まりの画像形成単位の区切りを示す画像形成単位マークを付加するか否かを示す第１付加情報を付加する付加手段と、を備える。
【００１２】
請求項２に係る画像情報変換装置は、請求項１記載の発明において、前記付加手段は、前記画像形成単位の先頭の画像に対応する前記分割画像ファイルに、前記画像形成単位マークを付加することを示す第１付加情報を付加する。
【００１３】
請求項３に係る画像情報変換装置は、請求項１又は２記載の発明において、前記付加手段は、前記分割画像ファイルの各々に、前記分割画像ファイルにより示される画像に付加する識別マークを示す第２付加情報を付加する。
【００１４】
請求項４に係る画像情報変換装置は、請求項３記載の発明において、前記付加手段は、前記第１の画像情報における前記画像形成単位より細かい予め定めた単位毎に前記第１付加情報を付加する。
【００１５】
請求項５に係る画像情報変換装置は、請求項１〜４の何れか１項記載の発明において、前記付加手段は、面付けの際に用いられる面付け設定情報を識別するための面付け設定名に、前記第１付加情報を付加する。
【００１６】
請求項６に係る画像情報変換装置は、請求項３又は４記載の発明において、前記付加手段は、面付けの際に用いられる面付け設定情報を識別するための面付け設定名に、前記第２付加情報を付加する。
【００１７】
請求項７に係る画像情報変換装置は、請求項１〜４の何れか１項記載の発明において、前記付加手段は、前記分割画像ファイルのファイル名に、前記第１付加情報を付加する。
【００１８】
請求項８に係る画像情報変換装置は、請求項３又は４記載の発明において、前記付加手段は、前記分割画像ファイルのファイル名に、前記第２付加情報を付加する。
【００１９】
請求項９に係る画像形成装置は、請求項１〜８の何れか１項記載の画像情報変換装置と接続された画像形成装置であって、第１の画像形成装置で使用される第１の言語とは異なる第２の言語で記述された画像情報であって、前記画像情報変換装置で処理された画像情報によって示される画像を形成する形成手段を備える。
【００２０】
請求項１０に係る画像形成装置は、第１の画像形成装置で使用される第１の言語で記述された第１の画像情報を、第２の画像形成装置で使用され、かつ前記第１の言語と異なる第２の言語で記述された第２の画像情報に変換する変換手段、データ量が前記第２の画像形成装置による画像処理の制限範囲内となるように前記第１の画像情報を複数の分割画像ファイルに分割する分割手段、前記分割画像ファイルの各々に、複数ページの画像を形成する一纏まりの画像形成単位の区切りを示す画像形成単位マークを付加するか否かを示す第１付加情報を付加する付加手段、及び、前記第１付加情報が付加された前記分割画像ファイルを画像形成装置に出力する出力手段を備えた画像情報変換装置の前記出力手段により出力された前記分割画像ファイルを取得する取得手段と、前記取得手段により取得された前記分割画像ファイルに付加された前記第１付加情報に基づき、前記画像形成単位マークを付加することを示す前記第１付加情報が付加された前記分割画像ファイルに基づく画像には前記画像形成単位マークが形成され、前記画像形成単位マークを付加しないことを示す前記第１付加情報が付加された前記分割画像ファイルに基づく画像には前記画像形成単位マークが形成されないように、各々の前記分割画像ファイルに基づく画像を形成する形成手段と、を備える。
【００２１】
請求項１１に係る画像形成装置は、第１の画像形成装置で使用される第１の言語で記述された第１の画像情報を、第２の画像形成装置で使用され、かつ前記第１の言語と異なる第２の言語で記述された第２の画像情報に変換する変換手段、データ量が前記第２の画像形成装置による画像処理の制限範囲内となるように第１の画像情報を複数の分割画像ファイルに分割する分割手段、前記分割画像ファイルのファイル名の各々に、複数ページの画像を形成する一纏まりの画像形成単位の区切りを示す画像形成単位マークを付加するか否かを示す第１付加情報を付加する付加手段、及び、前記第１付加情報が付加された前記分割画像ファイルを画像形成装置に出力する出力手段を備えた画像情報変換装置から、前記分割画像ファイルを取得する取得手段と、前記取得手段により取得された前記分割画像ファイルのファイル名に付加された前記第１付加情報に基づき、前記画像形成単位マークを付加することを示す前記第１付加情報がファイル名に付加された前記分割画像ファイルに基づく画像には前記画像形成単位マークが形成され、前記画像形成単位マークを付加しないことを示す前記第１付加情報がファイル名に付加された前記分割画像ファイルに基づく画像には前記画像形成単位マークが形成されないように、各々の前記分割画像ファイルに基づく画像を形成する形成手段と、を備える。
【００２２】
請求項１２に係る画像情報変換システムは、請求項１〜８の何れか１項の画像情報変換装置と、第１の画像形成装置で使用される第１の言語とは異なる第２の言語で記述された画像情報であって、前記画像情報変換装置で処理された画像情報によって示される画像を形成する画像形成装置と、を有する。
【００２３】
請求項１３に係る画像情報変換プログラムは、コンピュータを、請求項１〜８の何れか１項記載の画像情報変換装置を構成する各手段として機能させるプログラムである。
【発明の効果】
【００２４】
請求項１、９〜１３の発明によれば、連続紙専用の画像形成装置で用いられる画像情報をオープン環境で用いられる画像情報に変換する際に、画像形成単位マークの形成位置を考慮せずに変換する場合と比較して、画像形成単位マークが誤った位置に形成されることを回避することができる。
【００２５】
請求項２の発明によれば、連続紙専用の画像形成装置で用いられる画像情報をオープン環境で用いられる画像情報に変換する際に、各々の分割画像ファイルに基づく画像が、画像形成単位の先頭であるか否かを考慮せずに変換する場合と比較して、画像形成単位マークをより適切な位置に形成することができる。
【００２６】
請求項３の発明によれば、連続紙専用の画像形成装置で用いられる画像情報をオープン環境で用いられる画像情報に変換する際に、各々の分割画像ファイルに基づく画像に付加する識別マークを考慮せずに変換する場合と比較して、識別マークが誤った位置に形成されることを回避することができる。
【００２７】
請求項４の発明によれば、連続紙専用の画像形成装置で用いられる画像情報をオープン環境で用いられる画像情報に変換する際に、画像形成単位より細かい予め定めた単位を考慮せずに変換する場合と比較して、識別マークをより適切な位置に形成することができる。
【００２８】
請求項５の発明によれば、連続紙専用の画像形成装置で用いられる画像情報をオープン環境で用いられる画像情報に変換する際に、分割画像ファイルにより示される画像に画像形成単位マークを付加するか否かを示す第１付加情報を面付け設定名以外に付加する場合と比較して、第２付加情報を簡易に付加することができる。
【００２９】
請求項６の発明によれば、連続紙専用の画像形成装置で用いられる画像情報をオープン環境で用いられる画像情報に変換する際に、分割画像ファイルにより示される画像に付加する識別マークを示す第２付加情報を面付け設定名以外に付加する場合と比較して、第２付加情報を簡易に付加する。
【００３０】
請求項７の発明によれば、連続紙専用の画像形成装置で用いられる画像情報をオープン環境で用いられる画像情報に変換する際に、分割画像ファイルにより示される画像に画像形成単位マークを付加するか否かを示す第１付加情報をファイル名以外に付加する場合と比較して、識別マークをより適切な位置に形成することができる。
【００３１】
請求項８の発明によれば、連続紙専用の画像形成装置で用いられる画像情報をオープン環境で用いられる画像情報に変換する際に、分割画像ファイルにより示される画像に付加する識別マークを示す第２付加情報をファイル名以外に付加する場合と比較して、第２付加情報を簡易に付加することができる。
【図面の簡単な説明】
【００３２】
【図１】実施形態に係る画像情報変換システムの全体の構成を示すブロック図である。
【図２】実施形態に係る画像情報変換装置の機能的な構成を示すブロック図である。
【図３】実施形態に係る画像形成装置情報の一例を示す模式図である。
【図４】実施形態に係るマップ情報の一例を示す表である。
【図５】実施形態に係る一覧情報の一例を示す模式図である。
【図６】実施形態に係る画像情報変換装置及び画像形成装置の関連付けを示す模式図である。
【図７】実施形態に係る画像情報変換装置による画像情報の変換方法の流れを説明するための模式図である。
【図８】実施形態に係る画像情報変換装置による画像形成単位マーク及びコピーマークを付加するか否かによる面付け情報名の決定方法を説明するための表である。
【図９】実施形態に係る画像情報変換装置による画像形成単位マークのみを付加する場合のマーク付加方法を説明するための表である。
【図１０】実施形態に係る画像情報変換装置によるコピーマークのみを付加する場合のマーク付加方法を説明するための表である。
【図１１】実施形態に係る画像情報変換装置による画像形成単位マーク及びコピーマークを付加する場合のマーク付加方法を説明するための表である。
【図１２】実施形態に係る画像情報変換装置により画像形成単位マークが付加された用紙一例を示す模式図である。
【図１３】実施形態に係る画像情報変換システムにおいて、帳票Ａ乃至Ｃを連帳で画像形成した場合の、単位マークが付加された用紙の一例を示す模式図である。
【図１４】実施形態に係る画像情報変換装置の電気的な構成を示すブロック図である。
【図１５】第１実施形態に係る画像情報変換処理のプログラムの流れを示すフローチャートである。
【図１６】第２実施形態に係る画像情報変換処理のプログラムの流れを示すフローチャートである。
【発明を実施するための形態】
【００３３】
以下、添付図面を参照して、本実施形態に係る画像情報変換システムについて説明する。
【００３４】
［第１実施形態］
【００３５】
まず、第１実施形態に係る画像変換システムについて説明する。
【００３６】
本実施形態に係る画像情報変換システム１は、図１に示すように、連続紙専用の言語で記述された画像情報（以下、「専用画像情報」ともいう。）を送信する情報処理装置３を有する。また、画像情報変換システム１は、専用画像情報を受信して、オープン環境の言語で記述された画像情報（以下、「オープン画像情報」ともいう。）に変換する画像情報変換装置２を有する。また、画像情報変換システム１は、オープン画像情報を受信して、オープン画像情報に基づいて用紙に形成する画像形成装置４を有している。画像情報変換装置２、情報処理装置３、及び画像形成装置４は、相互に通信ネットワークで接続されている。
【００３７】
なお、本実施形態では、画像形成装置４としてオープン環境の画像形成装置を用いた場合について説明するが、これに限らない。画像形成装置４は、専用画像情報で用いられている言語とは異なる言語で記述された画像情報に基づいて画像を形成する画像形成装置であれば良い。
【００３８】
本実施形態では、情報処理装置３は、連続紙専用の画像形成装置で画像を形成するための専用画像情報であって、複数ページの画像を形成する一纏まりの画像形成処理の単位毎に上記単位マークが付加された専用画像情報を生成する。この専用画像情報は、各々のページに、内容を識別するためのコピーマーク（識別マーク）が付加されるように生成される。しかしながら、このような専用画像情報は、オープン環境の画像形成装置４では処理できないため、本実施形態では、情報処理装置３は、生成した専用画像情報を画像情報変換装置２に送信する。
【００３９】
画像情報変換装置２は、受信した専用画像情報を、画像形成装置４で処理される例えばＰｏｓｔＳｃｒｉｐｔ等のオープン環境の言語で記述されたオープン画像情報に変換する。そして、画像情報変換装置２は、変換後のオープン画像情報を画像形成装置４に送信する。画像形成装置４は、オープン画像情報を画像情報変換装置２から受信し、受信したオープン画像情報に基づいて、用紙に画像を形成する。
【００４０】
ここで、専用画像情報をオープン画像情報に変換する画像情報変換装置２について詳細に説明する。
【００４１】
画像情報変換装置２は、図２に示すように、変換手段の一例である画像情報変換部１２、分割手段の一例である画像情報分割部１４、付加手段の一例である面付け制御部１６、転送制御部１８、変換情報記憶部２０、及び、画像情報記憶部２８を有する。また、変換情報記憶部２０には、画像形成装置情報２２、コピーマーク情報２４、及び、マップ情報２６が格納されている。また、画像形成装置４には、面付け設定情報の一覧を含む一覧情報３０を記憶する一覧情報記憶部３２が設けられている。
【００４２】
画像形成装置情報２２は、一例として図３に示すように、画像情報変換装置２に接続された画像形成装置毎に、データ量のサイズ制限、処理可能な対象言語、用紙の種類、用紙のサイズ制限、面付け数、切断位置等を含む仕様が対応付けられた情報である。なお、画像情報分割部１４は、画像形成装置４の仕様に基づいて、オープン画像情報を複数の分割画像ファイルに分割する。
【００４３】
コピーマーク情報２４は、１つ又は複数のコピーマークの描画位置、形状等を含む情報であり、画像形成装置毎に記憶されている。本実施形態では、面付け制御部１６が、コピーマーク情報２４を参照することにより、コピーマークを付加するか否か、何れのコピーマークを付加するか等を含む面付け情報を各々の分割画像ファイルに付加する。
【００４４】
例えば、画像形成装置４では、「COPY1」及び「COPY2」の２種類のコピーマークが使用されるとする。その場合、画像形成装置４では、分割画像ファイルに基づく画像にコピーマークを付加する場合には、「COPY1」→「COPY2」→「COPY1」→「COPY2」→…と、「COPY1」及び「COPY2」が交互に切り替えられて付加される。なお、本実施形態では、「COPY1」のコピーマークは、１本の線で示されたマークであり、「COPY2」のコピーマークは、２本の線で示されたマークである（図１２参照）。
【００４５】
一般的に、コピーマークは、画像形成単位内に含まれる、より細かい単位であるレポート単位で切り替えられる。しかし専用画像情報をオープン画像情報に変換する場合には、分割画像ファイルの単位をレポートと読み替えることで、専用画像情報でレポートの概念がない場合であっても、コピーマークにより論理的な区切りが示される。また、複数の画像形成装置４Ａ、４Ｂに対して並列して画像形成を行わせる場合には、各々の画像形成装置４Ａ、４Ｂ間で各々独立させてコピーマークの制御を行う。
【００４６】
マップ情報２６は、一例として図４に示すように、面付け処理を行う際に用いられる面付け設定情報を識別するための面付け設定名と、面付け処理を行う際に各ページに付加するマークの種類を示す付加情報が各々対応付けられた情報である。本実施形態では、各ページに単位マークのみを付加する場合には付加情報に「ＪＯＢ」と記述され、各ページにコピーマークのみを付加する場合には付加情報に「ＣＯＰＹ」と記述され、各ページに単位マーク及びコピーマークを付加する場合には付加情報に「ＪＯＢＣＯＰＹ」と記述される。また、各ページに単位マーク及びコピーマークの何れも付加しない場合には付加情報に「ＮＯＮＥ」と記述される。
【００４７】
図４に示す例では、「SYS_1UPL-1912」の面付け設定名に、「ＪＯＢ」との付加情報が対応付けられ、「SYS_1UPL-1511」の面付け設定名に、「ＣＯＰＹ」との付加情報が対応付けられている。この場合、「SYS_1UPL-1912」の面付け設定情報に基づいて面付け処理を行う場合には、単位マークのみが付加され、「SYS_1UPL-1511」の面付け設定情報に基づいて面付け処理を行う場合には、コピーマークのみが付加される。また、面付け設定名が「無し」の場合は、「ＮＯＮＥ」の付加情報が対応付けられている。更に、面付け設定名がマップ情報２６に含まれていない場合、すなわち、面付け設定名が「その他」の場合は、「ＮＯＮＥ」の付加情報が対応付けられている。
【００４８】
一覧情報３０は、一例として図５に示すように、上記面付け設定名に対して、上記付加情報、面付けの幅、面付けの長さ、１ページに印刷する画像の数を示す面付け数、片面であるか両面であるか等が対応付けられた情報である。本実施形態では、１ページに１枚の画像を形成する場合には面付け数に「１ＵＰ」と記述され、１ページに２枚の画像を形成する場合には面付け数に「２ＵＰ」と記述される。また、本実施形態では、用紙の片面に画像を形成する場合には片面／両面に「ＳＩＭＰ」と記述され、用紙の両面に画像を形成する場合には片面／両面に「ＤＯＵＢ」と記述される。
【００４９】
なお、一例として図６に示すように、画像情報変換装置２では、待ち行列であるキュー（ＱＵＥＵＥ）６２に、複数の画像形成装置４Ａ、４Ｂの定義（ネットワークアドレス、接続用ユーザ名／パスワード、プリンタキュー名等）６４Ａ、６４Ｂが静的に対応付けられている。また、画像情報変換装置２に記憶されたマップ情報２６と、画像形成装置４に記憶された一覧情報３０Ａ、３０Ｂとは相互に対応している。
【００５０】
具体的には、画像情報変換装置２のマップ情報２６に含まれる面付け設定名と、画像形成装置４Ａの一覧情報３０Ａ、又は画像形成装置４Ｂの３０Ｂに含まれる面付け設定名とが同じ場合には、各々の面付け設定情報が同じ内容の面付け設定情報である。しかしながら、画像形成装置４の一覧情報３０Ａ、３０Ｂには、各々の面付け設定名について、語尾に「＿Ｎ」を付加していない面付け設定名と、語尾に「＿Ｎ」を付加した面付け設定名とが含まれている。語尾に「＿Ｎ」を付加した面付け設定名は、語尾に「＿Ｎ」を付加していない面付け設定名に対して、付加情報において単位マークを付加しないようにした点のみが異なる。その他の点は語尾に「＿Ｎ」を付加していない面付け設定名と同様である。同様に、画像形成装置４の一覧情報３０Ａ、３０Ｂには、各々の面付け設定名について、語尾に「１」又は「２」を付加していない面付け設定名と、語尾に「１」又は「２」を付加した面付け設定名とが含まれている。語尾に「１」又は「２」を付加した面付け設定名は、語尾に「１」又は「２」を付加していない面付け設定名に対して、付加情報においてコピーマーク（「COPY1」又は「COPY2」）を付加するようにした点のみが異なる。その他の点は語尾に「１」又は「２」を付加していない面付け設定名と同様である。
【００５１】
また、一例として図７に示すように、画像情報変換装置２は、画像形成装置４Ａ、４Ｂから各々の画像形成装置の仕様を示す仕様情報を取得し、取得した仕様情報に基づいて画像形成装置情報２２を用いて管理する。本実施形態では、画像情報変換装置２が仕様情報を動的に画像形成装置４Ａ、４Ｂから取得して画像形成装置４Ａ、４Ｂの仕様情報を自動で設定するが、これに限らない。例えば、ユーザにより画像形成装置情報２２に手動で画像形成装置４Ａ、４Ｂの仕様情報が設定されても良い。
【００５２】
画像情報変換部１２は、ネットワーク（ＬＰＲ／ＦＴＰ）、ＨｏｔＦｏｌｄｅｒ等の任意の仕組みを利用して専用画像情報を情報処理装置３から受信し、受信した専用画像情報を画像情報記憶部２８に一時記憶（スプール）させる。また、画像情報変換部１２は、一時記憶させた専用画像情報をオープン画像情報に変換する。この際、上述したように、専用画像情報をオープン画像情報に変換する場合には、オープン画像情報のデータ量が専用画像情報のデータ量と比較して多くなる。そのため、画像情報分割部１４は、オープン画像情報を複数の分割画像ファイルに分割する。
【００５３】
画像情報分割部１４は、画像形成装置情報２２から、オープン画像情報によって示される画像を形成する画像形成装置４に対応するサイズ制限（例えば、処理可能なＰｏｓｔｓｃｒｉｐｔサイズの制限）を取得する。そして、画像情報分割部１４は、取得したサイズ制限を満たすように、オープン画像情報の物理的に適切な区切り箇所で、オープン画像情報を分割し、複数の分割画像ファイルを作成する。例えば、５００ＭＢの専用画像情報をオープン画像情報に変換した場合に、変換したオープン画像情報のサイズが３ＧＢになる場合がある。このような場合で、かつ画像形成装置４のサイズ制限により１ＧＢ以下のデータ量のオープン画像情報しか処理できない場合には、最大で１ＧＢのデータ量となるように複数の分割画像ファイルに分割する。
【００５４】
面付け制御部１６は、複数の分割画像ファイルの順番が専用画像情報における各々の画像の順番に従うように、各々の分割画像ファイルに順番を付したファイル名を付加する。また、面付け制御部１６は、各々の分割画像ファイルに、同一の専用画像情報から作成されたことを識別できるようなファイル名を付加する。
【００５５】
例えば、１つの専用画像情報を４分割して、４つの分割画像ファイルを作成したとする。この場合、各々の分割画像ファイルにそれぞれ「TEST-JOB_0001S.ps」、「TEST-JOB_0002C.ps」、「TEST-JOB_0003C.ps」、及び「TEST-JOB_0004E.ps」のファイル名を付加する。これらのファイル名における「TEST-JOB」は、専用画像情報を示す識別名である。また、「0001S」は、１つ目（開始：START）を意味し、「0002C」、「0003C」は、２つ目、３つ目（中間：CONTINUE）を意味し、「0004E」は、４つ目（最終：END）を意味する。
【００５６】
また、面付け制御部１６は、分割画像ファイルに基づく各々の画像を画像形成装置４で用紙に形成させる際に、各々の分割画像ファイルの面付け情報に、単位マークを付加するか否かを示す情報（第１付加情報）を付加する。また、面付け制御部１６は、分割画像ファイルに基づく各々の画像を画像形成装置４で用紙に形成させる際に、各々の分割画像ファイルの面付け情報に、コピーマークを付加するか否かを示す情報（第２付加情報）を付加する。なお、面付け情報には、画像形成装置４の一覧情報３０に含まれる、何れかの面付け設定情報が、面付け設定名で指定された情報が含まれている。なお、本実施形態では、単位マークを付加しない場合には、面付け情報に、専用画像情報の面付け設定名に対して「Ｎ」を付加した面付け設定名を指定する情報が含まれる。また、コピーマークを付加する場合には、面付け情報に、専用画像情報の面付け設定名に対してコピーマークの識別名を付加した面付け設定名を指定する情報が含まれる。
【００５７】
具体的には、一例として図８に示すように、専用画像情報の面付け設定名が「ＡＡＡ」であったとする。この場合、「COPY1」のコピーマークを付加し、単位マークを出力する場合には、面付け設定名に「COPY1」の識別名「１」を付加し、面付け設定名を「ＡＡＡ＿１」とする。また、「COPY1」のコピーマークを付加し、単位マークを出力しない場合には、面付け設定名に「COPY1」の識別名「１」、単位マークを識別しない識別名「Ｎ」を付加し、面付け設定名を「ＡＡＡ＿１Ｎ」とする。また、「COPY2」のコピーマークを付加し、単位マークを出力する場合には、面付け設定名に「COPY2」の識別名「２」を付加し、面付け設定名を「ＡＡＡ＿２」とする。また、「COPY2」のコピーマークを付加し、単位マークを出力しない場合には、面付け設定名に「COPY2」の識別名「２」、及び単位マークを識別しない識別名「Ｎ」を付加し、面付け設定名を「ＡＡＡ＿１Ｎ」とする。
【００５８】
転送制御部１８は、面付け情報が付加された複数の分割画像ファイルを画像形成装置４に転送する。この際、複数の分割画像ファイルを、ファイル名に付された順序に従って画像形成装置４にデータを送信する。上述した４つの分割画像ファイルを作成する例では、「0001S」の分割画像ファイル４０Ａ→「0002C」の分割画像ファイル４０Ｂ→「0003C」の分割画像ファイル４０Ｃ→「0004E」の分割画像ファイル４０Ｄの順番に送信する。
【００５９】
次に、複数の分割画像ファイルを受信した画像形成装置４が、分割画像ファイルに付加された面付け情報に基づいて面付けを行う面付け処理について説明する。分割画像ファイルに基づく画像に面付けを行う際、以下のケース（Ａ）乃至（Ｃ）が考えられる。
（Ａ）単位マークのみを付加する。
（Ｂ）コピーマークのみを付加する。
（Ｃ）単位マーク及びコピーマークを付加する。
【００６０】
ケース（Ａ）では、分割画像ファイルに基づく画像を用紙に形成する際に、先頭の画像形成単位に対しては「ＡＡＡ」の面付け設定名が設定されており、以降の画像形成単位に対しては「ＡＡＡ＿Ｎ」の面付け設定名が設定されているとする。この場合、一例として図９に示すように、「ＡＡＡ」の面付け設定名が設定された画像４２の直前に、単位マークが付加された白紙画像４４が付加されると共に、「ＡＡＡ＿Ｎ」の面付け設定名が設定された画像４２の直前には、白紙画像４４が付加されない。
【００６１】
ケース（Ｂ）では、分割画像ファイルに基づく画像を用紙に形成する際に、先頭の画像形成単位に対しては「ＡＡＡ＿１」の面付け設定名が設定されており、以降の画像形成単位に対しては「ＡＡＡ＿２」の面付け設定名が設定されているとする。この場合、一例として図１０に示すように、「ＡＡＡ＿１」の面付け設定名が設定された画像４２には、コピーマーク４６が付加されると共に、「ＡＡＡ＿２」の面付け設定名が設定された画像４２には、コピーマーク４８が付加される。このように、「Copy1」のコピーマークと「Copy2」のコピーマークが画像形成単位毎に交互に付加される。すなわち、１つの画像形成単位が複数の分割画像ファイルに分割されている場合には、同じコピーマークが付加される。
【００６２】
ケース（Ｃ）では、分割画像ファイルに基づく画像を用紙に形成する際に、先頭の画像形成単位における先頭の分割画像ファイル群に対しては「ＡＡＡ＿１」の面付け設定名が設定されており、先頭の画像形成単位における以降の分割画像ファイル群に対しては「ＡＡＡ＿１Ｎ」の面付け設定名が設定されているとする。また、以降の画像形成単位に対しては「ＡＡＡ＿２」の面付け設定名が設定されているとする。この場合、一例として図１１に示すように、「ＡＡＡ＿１」の面付け設定名が設定された画像４２の直前に、単位マークが付加された白紙画像４４が付加されると共に、画像４２にコピーマーク４６が付加される。「ＡＡＡ＿１Ｎ」の面付け設定名が設定された画像４２の直前には白紙画像４４が付加されずに、画像４２にコピーマーク４６が付加される。また、「ＡＡＡ＿２」の面付け設定名が設定された画像４２の直前に、単位マークが付加された白紙画像４４が付加されると共に、画像４２にコピーマーク４８が付加される。このように、「Copy1」のコピーマーク４６と「Copy2」のコピーマーク４８とがレポート毎に交互に付加される。すなわち、１つのレポートが複数の分割画像ファイルに分割されている場合には、同じコピーマーク４６、４８が付加される。
【００６３】
なお、一例として図１２に示すように、本実施形態では、単位マーク４４Ａは、白紙画像４４を跨ぐように複数の線で形成され、コピーマーク４６は、１本の線で形成され、コピーマーク４６は、２本の線で形成される。これにより、一例として図１３に示すように、帳票Ａ、帳票Ｂ、帳票Ｃをそれぞれ画像形成単位として、各々の画像形成単位に単位マーク４４Ａを付加して連帳で画像を形成させたとする。このように画像が形成された連続紙をＺ折りされて積み重ねられた用紙４２Ａにおいて、側面において単位マーク４４Ａが視認可能となり、この単位マーク４４Ａにより、ユーザによって画像形成単位が確認される。
【００６４】
なお、本実施形態に係る画像情報変換装置２は、図１４に示すように、装置全体を制御するＣＰＵ（Central Processing Unit）を備え、画像情報変換装置２の各部がＣＰＵ５０により制御されて実現される。また、ＣＰＵ５０は、ＣＰＵ５０の処理に使用されるプログラム及び各種情報を記憶するＲＯＭ（Read Only Memory）５２に接続されている。また、ＣＰＵ５０は、ＣＰＵ５０の作業領域として一時的に各種データを記憶するＲＡＭ（Random Access Memory）５４、及び、ＣＰＵ５０の処理に使用される各種情報を記憶する不揮発性メモリ等の記憶部５６を接続されている。なお、変換情報記憶部２０は、記憶部５６に設けられており、画像情報記憶部２８は、ＲＡＭ５４に設けられている。
【００６５】
更に、ＣＰＵ５０は、画像情報変換装置２に接続された外部装置に対するデータの入出力を行う通信回線Ｉ／Ｆ（インタフェース）部５８に接続されている。通信回線Ｉ／Ｆ部５８には、上述した情報処理装置３、及び画像形成装置４が接続されている。また、ＣＰＵ５０は、データを入力するキーボード、マウス等と、データを表示するディスプレイ等を有する操作表示部６０に接続されている。
【００６６】
次に、本実施形態に係る画像情報変換装置２が実行する画像情報変換処理を行う際の処理の流れを、図１５に示すフローチャートを参照して説明する。
【００６７】
なお、本実施形態では、画像情報変換処理のプログラムは予め記憶部５６に記憶されているが、これに限らない。例えば、画像形成処理のプログラムは、外部装置から通信回線Ｉ／Ｆ部５８を介して受信して実行されても良い。また、ＣＤ−ＲＯＭ等の記録媒体に記録された画像情報変換処理のプログラムがＣＤ−ＲＯＭドライブ等で読み込まれることにより、画像形成処理が実行されるようにしてもよい。
【００６８】
本実施形態では、画像情報変換処理のプログラムは、ユーザによる操作表示部６０の操作により実行指示が入力された場合に実行される。しかしながら、実行されるタイミングはこれに限らず、例えば、画像情報変換装置２が専用画像情報を受信したタイミングで実行されても良い。
【００６９】
ステップＳ１０１では、画像情報変換部１２が、専用画像情報を情報処理装置３から取得する。
【００７０】
ステップＳ１０３では、画像情報変換部１２が、取得した専用画像情報に基づいて画像を形成する画像形成装置４の仕様制限を、画像形成装置情報２２から取得する。
【００７１】
ステップＳ１０５では、画像情報変換部１２が、専用画像情報をオープン画像情報に変換すると共に、画像情報分割部１４が、画像形成装置４の仕様制限に基づいて、オープン画像情報を複数の分割画像ファイルに分割する。
【００７２】
ステップＳ１０７では、面付け制御部１６が、取得した専用画像情報の面付け設定名を取得する。
【００７３】
ステップＳ１０９では、面付け制御部１６が、取得した専用画像情報の面付け情報に、単位マーク及びコピーマークに関する付加情報が含まれているか否かを判定する。ステップＳ１０９で付加情報が含まれていると判定した場合（Ｓ１０９，Ｙ）はステップＳ１１１に移行する。ステップＳ１０９で付加情報が含まれていないと判定した場合（Ｓ１０９，Ｎ）はステップＳ１３１に移行する。
【００７４】
ステップＳ１１１では、面付け制御部１６が、マップ情報２６を取得する。
【００７５】
ステップＳ１１３では、面付け制御部１６が、取得した専用画像情報の面付け設定名がマップ情報２６に設定されているか否かを判定する。ステップＳ１１３で面付け設定名がマップ情報２６に設定されていると判定した場合（Ｓ１１３，Ｙ）はステップＳ１１５に移行する。また、ステップＳ１１３で面付け設定名がマップ情報２６に設定されていないと判定した場合（Ｓ１１３，Ｎ）はステップＳ１３１に移行する。
【００７６】
ステップＳ１１５では、面付け制御部１６が、ステップＳ１０５で分割された分割画像ファイルのうちの１つの分割画像ファイルを選択する。
【００７７】
ステップＳ１１７では、面付け制御部１６が、取得した専用画像情報の面付け設定名にマップ情報２６において対応付けられている付加情報が、単位マークのみの指定である、すなわち「ＪＯＢ」であるか否かを判定する。ステップＳ１１７で付加情報が単位マークのみの指定であると判定した場合（Ｓ１１７，Ｙ）はステップＳ１２５に移行する。また、ステップＳ１１７で付加情報が単位マークのみの指定でないと判定した場合（Ｓ１１７，Ｎ）はステップＳ１１９に移行する。
【００７８】
ステップＳ１１９では、面付け制御部１６が、取得した専用画像情報に基づいて画像を形成する画像形成装置４に対応するコピーマーク情報２４を取得する。
【００７９】
ステップＳ１２１では、面付け制御部１６が、選択した分割画像ファイルに、取得した専用画像情報の面付け設定名に、コピーマークの識別名を付加した面付け設定名を含む面付け情報を付加する。
【００８０】
ステップＳ１２３では、面付け制御部１６が、取得した専用画像情報の面付け設定名にマップ情報２６において対応付けられている付加情報が、コピーマークのみの指定である、すなわち「ＣＯＰＹ」であるか否かを判定する。ステップＳ１２３で付加情報がコピーマークのみの指定であると判定した場合（Ｓ１２３，Ｙ）はステップＳ１２９に移行する。また、ステップＳ１２３で付加情報がコピーマークのみの指定でないと判定した場合（Ｓ１２３，Ｎ）はステップＳ１２５に移行する。
【００８１】
ステップＳ１２５では、面付け制御部１６が、選択した分割画像ファイルが、画像形成単位の先頭の分割画像ファイルであるか否かを判定する。ステップＳ１２５で選択した分割画像ファイルが、画像形成単位の先頭の分割画像ファイルであると判定した場合（Ｓ１２５，Ｙ）はステップＳ１２９に移行する。また、ステップＳ１２５で選択した分割画像ファイルが、画像形成単位の先頭の分割画像ファイルでないと判定した場合（Ｓ１２５，Ｎ）はステップＳ１２７に移行する。
【００８２】
ステップＳ１２７では、面付け制御部１６が、選択した分割画像ファイルに、取得した専用画像情報の面付け設定名に、「Ｎ」を付加した面付け設定名を含む面付け情報を付加する。なお、取得した専用画像情報の面付け設定名に、コピーマークの識別名が付加されている場合には、選択した分割画像ファイルに、コピーマークの識別名が付加された面付け設定名に更に「Ｎ」を付加した面付け設定名を含む面付け情報を付加する。
【００８３】
ステップＳ１２９では、面付け制御部１６が、未処理の分割画像ファイル、すなわちステップＳ１１５乃至Ｓ１２７の処理を行っていない分割画像ファイルがあるか否かを判定する。ステップＳ１２９で未処理の分割画像ファイルがあると判定した場合（Ｓ１２９，Ｙ）はステップＳ１１５に移行する。また、ステップＳ１２９で未処理の分割画像ファイルがないと判定した場合（Ｓ１２９，Ｎ）はステップＳ１３１に移行する。
【００８４】
ステップＳ１３１では、転送制御部１８が、分割画像ファイルを画像形成装置４に送信し、本画像情報変換処理のプログラムの実行を終了する。
【００８５】
このように、本実施形態では、連続紙専用の画像形成装置（第１の画像形成装置）で使用される第１の言語で記述された専用画像情報（第１の画像情報）を、画像形成装置４（第２の画像形成装置）で使用される第２の言語で記述されたオープン画像情報（第２の画像情報）に変換する。また、本実施形態では、データ量が画像形成装置４による画像形成の制限範囲内となるようにオープン画像情報を複数の分割画像ファイルに分割する。更に、本実施形態では、分割画像ファイルの各々に、画像形成単位マークを形成するか否かを示す情報（第１付加情報）を付加した面付け情報を付加する。これにより、連続紙専用の画像形成装置で用いられる画像情報をオープン環境で用いられる画像情報に変換する際、画像形成単位マークが誤った位置に付加されることが回避される。
【００８６】
［第２実施形態］
【００８７】
次に、第２実施形態に係る画像情報変換装置について説明する。
【００８８】
第１実施形態では、分割画像ファイルに基づく各々の画像に単位マーク及びコピーマークを付加するか否かを画像情報変換装置２で判断する場合について説明した。一方、第２実施形態では、分割画像ファイルに基づく各々の画像に単位マーク及びコピーマークを付加するか否かを画像形成装置４で判断する場合について説明する。
【００８９】
第２実施形態に係る画像情報変換システムの構成は、上記第１実施形態に係る画像情報変換システム１と同じであるため、各構成の説明を省略する。
【００９０】
次に、本実施形態に係る画像情報変換装置２が実行する画像情報変換処理を行う際の処理の流れを、図１６に示すフローチャートを参照して説明する。
【００９１】
なお、本実施形態では、画像情報変換処理のプログラムは予め記憶部５６に記憶されているが、これに限らない。例えば、画像形成処理のプログラムは、ＣＤ−ＲＯＭ等の記録媒体に記録された画像情報変換処理のプログラムが読み込まれることにより、画像形成処理が実行されるようにしてもよい。または、画像形成処理のプログラムは、外付けの半導体メモリ等の記録媒体に記録された画像情報変換処理のプログラムが読み込まれることにより、画像形成処理が実行されるようにしてもよい。
【００９２】
本実施形態では、画像情報変換処理のプログラムは、ユーザによる操作表示部６０の操作により実行指示が入力された場合に実行される。しかしながら、実行されるタイミングはこれに限らず、例えば、画像情報変換装置２が専用画像情報を受信したタイミングで実行されても良い。
【００９３】
ステップＳ２０１では、画像情報変換部１２が、専用画像情報を情報処理装置３から取得する。
【００９４】
ステップＳ２０３では、画像情報変換部１２が、取得した専用画像情報に基づいて画像を形成する画像形成装置４の仕様制限を、画像形成装置情報２２から取得する。
【００９５】
ステップＳ２０５では、画像情報変換部１２が、専用画像情報をオープン画像情報に変換すると共に、画像情報分割部１４が、画像形成装置４の仕様制限に基づいて、オープン画像情報を複数の分割画像ファイルに分割する。
【００９６】
ステップＳ２０７では、面付け制御部１６が、取得した専用画像情報の面付け設定名を取得する。
【００９７】
ステップＳ２０９では、面付け制御部１６が、取得した専用画像情報の面付け情報に、単位マーク及びコピーマークに関する付加情報が含まれているか否かを判定する。ステップＳ２０９で付加情報が含まれていると判定した場合（Ｓ２０９，Ｙ）はステップＳ２１１に移行する。ステップＳ２０９で付加情報が含まれていないと判定した場合（Ｓ２０９，Ｎ）はステップＳ２３１に移行する。
【００９８】
ステップＳ２１１では、面付け制御部１６が、マップ情報２６を取得する。
【００９９】
ステップＳ２１３では、面付け制御部１６が、取得した専用画像情報の面付け設定名がマップ情報２６に設定されているか否かを判定する。ステップＳ２１３で面付け設定名がマップ情報２６に設定されていると判定した場合（Ｓ２１３，Ｙ）はステップＳ２１５に移行する。また、ステップＳ２１３で面付け設定名がマップ情報２６に設定されていないと判定した場合（Ｓ２１３，Ｎ）はステップＳ２３１に移行する。
【０１００】
ステップＳ２１５では、面付け制御部１６が、ステップＳ２０５で分割された分割画像ファイルのうちの１つの分割画像ファイルを選択する。
【０１０１】
ステップＳ２１７では、面付け制御部１６が、取得した専用画像情報の面付け設定名にマップ情報２６において対応付けられている付加情報が、単位マークのみの指定である、すなわち「ＪＯＢ」であるか否かを判定する。ステップＳ２１７で付加情報が単位マークのみの指定であると判定した場合（Ｓ２１７，Ｙ）はステップＳ２２５に移行する。また、ステップＳ２１７で付加情報が単位マークのみの指定でないと判定した場合（Ｓ２１７，Ｎ）はステップＳ２１９に移行する。
【０１０２】
ステップＳ２１９では、面付け制御部１６が、取得した専用画像情報に基づいて画像を形成する画像形成装置４に対応するコピーマーク情報２４を取得する。
【０１０３】
ステップＳ２２１では、面付け制御部１６が、選択した分割画像ファイルのファイル名に、コピーマークの識別名を付加する。
【０１０４】
ステップＳ２２３では、面付け制御部１６が、取得した専用画像情報の面付け設定名にマップ情報２６において対応付けられている付加情報が、コピーマークのみの指定である、すなわち「ＣＯＰＹ」であるか否かを判定する。ステップＳ２２３で付加情報がコピーマークのみの指定であると判定した場合（Ｓ２２３，Ｙ）はステップＳ２２９に移行する。また、ステップＳ２２３で付加情報がコピーマークのみの指定でないと判定した場合（Ｓ２２３，Ｎ）はステップＳ２２５に移行する。
【０１０５】
ステップＳ２２５では、面付け制御部１６が、選択した分割画像ファイルが、画像形成単位の先頭の分割画像ファイルであるか否かを判定する。ステップＳ２２５で選択した分割画像ファイルが、画像形成単位の先頭の分割画像ファイルであると判定した場合（Ｓ２２５，Ｙ）はステップＳ２２９に移行する。また、ステップＳ２２５で選択した分割画像ファイルが、画像形成単位の先頭の分割画像ファイルでないと判定した場合（Ｓ２２５，Ｎ）はステップＳ２２７に移行する。
【０１０６】
ステップＳ２２７では、面付け制御部１６が、選択した分割画像ファイルのファイル名に、「Ｎ」を付加する。
【０１０７】
ステップＳ２２９では、面付け制御部１６が、未処理の分割画像ファイル、すなわちステップＳ２１５乃至Ｓ２２７の処理を行っていない分割画像ファイルがあるか否かを判定する。ステップＳ２２９で未処理の分割画像ファイルがあると判定した場合（Ｓ２２９，Ｙ）はステップＳ２１５に移行する。また、ステップＳ２２９で未処理の分割画像ファイルがないと判定した場合（Ｓ２２９，Ｎ）はステップＳ２３１に移行する。
【０１０８】
ステップＳ２３１では、転送制御部１８が、分割画像ファイルを画像形成装置４に送信し、本画像情報変換処理のプログラムの実行を終了する。
【０１０９】
画像形成装置４は、分割画像ファイルに基づく画像を用紙に形成する際、面付け設定情報に基づいて面付けを行うと共に、分割画像ファイルのファイル名に、コピーマークの識別子が付加されている場合には、当該識別子に対応するコピーマークを形成する。また、分割画像ファイルのファイル名に「Ｎ」が付加されていない場合には、面付け設定情報に基づいて面付けを行うと共に、単位マークを形成し、「Ｎ」が付加されている場合には、単位マークを形成しない。
【０１１０】
このように、本実施形態では、連続紙専用の画像形成装置（第１の画像形成装置）で使用される第１の言語で記述された専用画像情報（第１の画像情報）を、画像形成装置４（第２の画像形成装置）で使用される第２の言語で記述されたオープン画像情報（第２の画像情報）に変換する。また、本実施形態では、データ量が画像形成装置４による画像形成の制限範囲内となるようにオープン画像情報を複数の分割画像ファイルに分割する。更に、本実施形態では、分割画像ファイルの各々のファイル名に、画像形成単位マークを形成するか否かを示す情報（第１付加情報）を付加する。これにより、連続紙専用の画像形成装置で用いられる画像情報をオープン環境で用いられる画像情報に変換する際、画像形成単位マークが誤った位置に付与されることが回避される。
【０１１１】
なお、本実施形態では、画像情報変換装置２が、各々の分割画像ファイルのファイル名に「Ｎ」を付加するか否かを判断し、判断結果に応じて「Ｎ」を付加する場合について説明したが、これに限らない。例えば、画像情報変換装置２が、上述したように、分割画像ファイルのファイル名を変更せずに、「TEST-JOB_0001S.ps」、「TEST-JOB_0002C.ps」、「TEST-JOB_0003C.ps」、及び「TEST-JOB_0004E.ps」等のファイル名の分割画像ファイルをそのまま送信しても良い。この場合、画像形成装置４は、画像形成単位の先頭の画像であることを示す情報（例えば、「001S」）がファイル名に含まれている分割画像ファイルに基づく画像には単位マークを形成し、それ以外の分割画像ファイルに基づく画像には、単位マークを形成しないように画像形成を制御する。
【符号の説明】
【０１１２】
１  画像情報変換システム
２  画像情報変換装置
３  情報処理装置
４、４Ａ、４Ｂ  画像形成装置
１２  画像情報変換部
１４  画像情報分割部
１６  面付け制御部
１８  転送制御部
２０  変換情報記憶部
２２  画像形成装置情報
２４  コピーマーク情報
２６  マップ情報
２８  画像情報記憶部
３０、３０Ａ、３０Ｂ  一覧情報
５０  ＣＰＵ
５２  ＲＯＭ
５４  ＲＡＭ
５６  記憶部
５８  通信回線Ｉ／Ｆ部
６０  操作表示部
【図１】
0006658060.tif 000002
【図２】
0006658060.tif 000003
【図３】
0006658060.tif 000004
【図４】
0006658060.tif 000005
【図５】
0006658060.tif 000006
【図６】
0006658060.tif 000007
【図７】
0006658060.tif 000008
【図８】
0006658060.tif 000009
【図９】
0006658060.tif 000010
【図１０】
0006658060.tif 000011
【図１１】
0006658060.tif 000012
【図１２】
0006658060.tif 000013
【図１３】
0006658060.tif 000014
【図１４】
0006658060.tif 000015
【図１５】
0006658060.tif 000016
【図１６】
0006658060.tif 000017